(57)【特許請求の範囲】
【請求項１】
台形シート状の底部と、
この底部の各辺から一体且つ垂直に設けたシート状の第１乃至第４の側部と、
これら４つの側部の上記底部から離間した上辺と一体に連続して設けた切妻屋根と、
上記底部の台形の下底につながる上記第１の側部の上記上辺に連続して設けた上記切妻屋根の一端側の第１の袖部と、
上記底部の台形の上記下底より短い上底につながる上記第２の側部の上記上辺に連続して設けた上記切妻屋根の他端側の第２の袖部と、
上記第１の袖部と上記第２の袖部との少なくとも一方に設けた開閉可能な注ぎ口と、
を有し、
上記第２の袖部の第２のけらばは、上記第１の袖部の第１のけらばより短く、上記切妻屋根の軒は、上記一端から他端に向けて上記切妻屋根の棟と上記軒とが互いに近付く方向に傾斜している、ゲーブルトップ型紙容器。
【請求項２】
上記開閉可能な注ぎ口が、上記第１の袖部と上記第２の袖部との両方に設けられている、請求項１のゲーブルトップ型紙容器。
【請求項３】
上記棟は、上記第１の袖部の第１のけらばと上記第２の袖部の第２のけらばの長さを足した長さより長い、請求項２のゲーブルトップ型紙容器。
【請求項４】
上記底部の台形の２つの斜辺がいずれも上記下底より長い、請求項１のゲーブルトップ型紙容器。
【発明の詳細な説明】
【技術分野】
【０００１】
本発明の実施形態は、液体を収容するゲーブルトップ型紙容器に関する。
【背景技術】
【０００２】
一般に、飲料などの液体を収容する紙容器として、ゲーブルトップ型の紙容器が知られている。この種の紙容器の中には、例えば、利用者による利便性を向上するために、切妻屋根状の部分の両側に注ぎ口を有するタイプのものがある。このように、両側に注ぎ口を設けることで、例えば、視力の低い人でも、注ぎ口を容易に開けることができる。
【先行技術文献】
【特許文献】
【０００３】
【特許文献１】特開２００３−３１２６４２号公報
【発明の概要】
【発明が解決しようとする課題】
【０００４】
しかし、紙容器の持ち易さや液体の注ぎ易さなど、紙容器のさらなる利便性を考えた場合、上述した従来のゲーブルトップ型紙容器は、十分に満足のいくものではなかった。例えば、紙容器の高さを変えずに容積を大きく（或いは小さく）しようとした場合、胴部の幅を大きくする（或いは小さくする）必要があり、持ち易さが変わってしまう。また、容積が変わって紙容器のサイズが変われば、注ぎ口のサイズも変わってしまうため、注ぎ易さも変わってしまう。つまり、上述した従来のゲーブルトップ型の紙容器は、利便性を考慮した場合、設計の自由度が低いものであった。
【０００５】
よって、設計の自由度が高く利便性の高いゲーブルトップ型紙容器の開発が望まれている。
【課題を解決するための手段】
【０００６】
実施形態に係るゲーブルトップ型紙容器は、台形シート状の底部と、この底部の各辺から一体且つ垂直に設けたシート状の第１乃至第４の側部と、これら４つの側部の上記底部から離間した上辺と一体に連続して設けた切妻屋根と、上記底部の台形の下底につながる上記第１の側部の上記上辺に連続して設けた上記切妻屋根の一端側の第１の袖部と、上記底部の台形の上記下底より短い上底につながる上記第２の側部の上記上辺に連続して設けた上記切妻屋根の他端側の第２の袖部と、上記第１の袖部と上記第２の袖部との少なくとも一方に設けた開閉可能な注ぎ口と、を有し、上記第２の袖部の第２のけらばは、上記第１の袖部の第１のけらばより短く、上記切妻屋根の軒は、上記一端から他端に向けて上記切妻屋根の棟と上記軒とが互いに近付く方向に傾斜している。
【図面の簡単な説明】
【０００７】
【図１】図１は、実施形態に係るゲーブルトップ型紙容器の斜視図である。
【図２】図２は、図１の容器を展開したシートを内面側から見た展開図である。
【図３】図３は、図１の容器を矢印Ｆ３方向から見た側面図である。
【図４】図４は、図１の容器を矢印Ｆ４方向から見た側面図である。
【図５】図５は、図１の容器を矢印Ｆ５方向から見た側面図である。
【図６】図６は、図１の容器を図３の矢印Ｆ６方向から見た上面図である。
【図７】図７は、図１の容器を図３の矢印Ｆ７方向から見た底面図である。
【発明を実施するための形態】
【０００８】
以下、図面を参照しながら実施形態について詳細に説明する。  
図１は、ゲーブルトップ型紙容器１００（以下、単に、容器１００と称する）の外観斜視図である。図２は、容器１００を展開したシート１０１（ブランク）を示す図である。容器１００は、図２に示す形の１枚のシート１０１を、折り曲げ線Ｌ１、Ｌ２に沿って折り曲げて、所定の部位同士を接着することで組み立てられる。折り曲げ線Ｌ１は図２で紙面手前方向に凸となる山折り部分を示し、折り曲げ線Ｌ２は谷折り部分を示す。容器１００は、周知の方法で組み立てられるため、ここでは、容器１００の組立方法についての詳細な説明を省略する。
【０００９】
シート１０１は、図１のように組み立てた状態で、容器１００内に収容する飲料などの液体（内容物）に接触する内面１０１ａ、および容器１００の外側表面となる外面１０１ｂを有する。シート１０１は、例えば、内面１０１ａから外面１０１ｂに向けて、ポリエチレン層、紙層、ポリエチレン層を積層した層構造を有する。この他に、内面１０１ａから外面１０１ｂに向けて、ポリプロピレン層、紙層、ポリプロピレン層を積層したもの、ポリエチレンテフタレート層、紙層、ポリエチレンテフタレート層を積層したもの、ポリエチレン層、アルミ箔、ポリエチレン層、紙層、ポリエチレン層を積層したもの、ポリエチレン層、蒸着バリア層、ポリエチレンテフタレート層、ポリエチレン層、紙層、ポリエチレン層を積層したものなどが、シート１０１として用いられる。
【００１０】
図３は、容器１００を図１の矢印Ｆ３方向から見た側面図であり、図４は、容器１００を図１の矢印Ｆ４方向から見た側面図であり、図５は、容器１００を図１の矢印Ｆ５方向から見た側面図であり、図６は、容器１００を図３の矢印Ｆ６方向（上方）から見た上面図であり、図７は、容器１００を図３の矢印Ｆ７方向から見た底面図である。
【００１１】
容器１００は、台形の底部１、長方形の第１の側部２、長方形の第２の側部３、長方形の第３の側部４、長方形の第４の側部５、切妻屋根状の部分６（以下、切妻屋根６と称する）、第１の注ぎ口７、および第２の注ぎ口８を一体に有する。以下の説明では、切妻屋根６以外の容器１００の部分を胴部１１０と称する場合もある。
【００１２】
第１〜第４の側部２、３、４、５は、底部１と直交する方向の高さがほぼ同じである（図２）。底部１の台形の下底１１からつながる第１の側部２は、台形の上底１２からつながる第２の側部３より幅広である。第１の側部２と第２の側部３は平行である。第３の側部４と第４の側部５は非平行である。本実施形態では、第３の側部４と第４の側部５の幅は同じであり、同じ面積を有する。
【００１３】
底部１は、互いに平行な上底１２および下底１１を有し、上底１２と下底１１の両端をそれぞれつなぐ傾斜した２つの斜辺１３、１４を有する。上底１２は下底１１より短い。２つの斜辺１３、１４は、いずれも、下底１１より長い。斜辺１３、１４は、下底１１に対し、鋭角をなす。また、斜辺１３、１４は、上底１２に対し、鈍角をなす。本実施形態では、斜辺１３、１４は同じ長さである。
【００１４】
底部１は、斜辺１３を介して第３の側部４に連続した第１部分１ａ、および斜辺１４を介して第４の側部５に連続した第２部分１ｂを部分的に重ねたものである。第１部分１ａは、斜辺１３から離間した側に、外面側に折り返す部分１５を有する。そして、第２部分１ｂの斜辺１４から離間した側の端辺近くは、図４、図５に示すように、第１部分１ａの折り返した部分１５の外側に重ねて接着される。
【００１５】
図２に示すように、底部１を構成する第１部分１ａと第２部分１ｂとの間には、折り畳み部分１ｃ、１ｄがある。折り畳み部分１ｃは、第１の側部２の下端辺（底部１の下底１１に相当）を介して連続する。折り畳み部分１ｄは、第２の側部３の下端辺（底部１の上底１２に相当）を介して連続する。これら折り畳み部分１ｃ、１ｄは、容器１００を組み立てた状態で、外側に露出することなく内側に折り畳まれて底部１（第１および第２部分１ａ、１ｂ）の内面に接着される。
【００１６】
第１乃至第４の側部２、３、４、５は、それぞれ、底部１の各辺１１、１２、１３、１４から底部１の内面側に垂直に起立して延設されている。第１乃至第４の側部２、３、４、５は、底部１から離間した上辺２ａ、３ａ、４ａ、５ａをそれぞれ有する。これら４つの上辺２ａ、３ａ、４ａ、５ａは、底部１と合同形且つ平行な台形を形成する。
【００１７】
切妻屋根６は、底部１の上底１２および下底１１と直交する長手方向に沿って延びた細長い帯状の棟２１、および２つの軒２２、２３を有する。一方の軒２２は、第３の側部４の上辺４ａと一致する。もう一方の軒２３は、第４の側部５の上辺５ａと一致する。言い換えると、２つの軒２２、２３は、底部１と平行である。棟２１は、第１の側部２側の一端から第２の側部３側の他端に向けて２つの軒２２、２３に近付く方向に傾斜している。
【００１８】
棟２１と一方の軒２２との間には、台形の平板状の第１の屋根部２４が延設されている。棟２１ともう一方の軒２３との間には、台形の平板状の第２の屋根部２５が延設されている。第１および第２の屋根部２４、２５は、それぞれ、棟２１から軒２２、２３に向けて拡がるように下方に傾斜している。第１および第２の屋根部２４、２５は、棟２１を中心にした線対称な合同形である。
【００１９】
図２に示すように、第１の屋根部２４は、上辺４ａを介して第３の側部４に接続している。第２の屋根部２５は、上辺５ａを介して第４の側部５に接続している。第１の屋根部２４の上辺４ａから離間した側には、容器１００の長手方向に沿った帯状の接合部２１ａが設けられている。第２の屋根部２５の上辺５ａから離間した側には、容器１００の長手方向に沿った帯状の接合部２１ｂが設けられている。これら２つの接合部２１ａ、２１ｂは、接着されて棟２１を形成する。
【００２０】
棟２１の一端と上辺４ａの一端をつなぐ第１の屋根部２４の一端側の端辺２４ａ、および棟２１の一端と上辺５ａの一端をつなぐ第２の屋根部２５の一端側の端辺２５ａは、いずれも第１のけらばであり、第１の側部２の上辺２ａとともに第１の袖部３１を形成する。また、棟２１の他端と上辺４ａの他端をつなぐ第１の屋根部２４の他端側の端辺２４ｂ、および棟２１の他端と上辺５ａの他端をつなぐ第２の屋根部２５の他端側の端辺２５ｂは、いずれも第２のけらばであり、第２の側部３の上辺３ａとともに第２の袖部３２を形成する。
【００２１】
第２の袖部３２のけらば２４ｂ、２５ｂは、第１の袖部３１のけらば２４ａ、２５ａより短い。また、棟２１の長さは、第１の袖部３１の一方のけらば２４ａ（２５ａ）と第２の袖部３２の一方のけらば２４ｂ（２５ｂ）を足した長さより長く設計されている。これにより、後述する第１の注ぎ口７および第２の注ぎ口８を両方とも開けた状態で、２つの注ぎ口７、８が繋がる不具合を防止できる。
【００２２】
第１の注ぎ口７は、第１の側部２の上辺２ａに連続して第１の袖部３１に設けられている。第２の注ぎ口８は、第２の側部３の上辺３ａに連続して第２の袖部３２に設けられている。図２に示すように、第１の注ぎ口７は、第１の側部２の上辺２ａを最も長い底辺とする二等辺三角形の折り込み部３３、および２つの折り返し部３４、３５を含む。また、第２の注ぎ口８は、第２の側部３の上辺３ａを最も長い低辺とする二等辺三角形の折り込み部３６、および２つの折り返し部３７、３８を含む。
【００２３】
第１の注ぎ口７の一方の折り返し部３４は、折り込み部３３の一方の短辺３３ａおよび第１の屋根部２４の一端側の端辺２４ａを２辺とする三角形であり、もう一方の折り返し部３５は、折り込み部３３のもう一方の短辺３３ｂおよび第２の屋根部２５の一端側の端辺２５ａを２辺とする三角形である。第２の注ぎ口８の一方の折り返し部３７は、折り込み部３６の一方の短辺３６ａおよび第１の屋根部２４の他端側の端辺２４ｂを２辺とする三角形であり、もう一方の折り返し部３８は、折り込み部３６のもう一方の短辺３６ｂおよび第２の屋根部２５の他端側の端辺２５ｂを２辺とする三角形である。
【００２４】
第１の注ぎ口７は、棟２１の一端側からけらば２４ａとけらば２５ａとの間を開き、折り込み部３３を第１の袖部３１から引き出すとともに、２つの折り返し部３４、３５を第１の袖部３１から引き出すことで開くことができる。第１の注ぎ口７を閉じる際には、第１の袖部３１から一端側に突出した状態の注ぎ口７（折り込み部３３、折り返し部３４、および折り返し部３５）を押し込んで棟２１の一端を閉じる。第１の注ぎ口７は、同様の動作により開閉可能である。
【００２５】
第２の注ぎ口８は、棟２１の他端側からけらば２４ｂとけらば２５ｂとの間を開き、折り込み部３６を第２の袖部３２から引き出すとともに、２つの折り返し部３７、３８を第２の袖部３２から引き出すことで開くことができる。第２の注ぎ口８を閉じる際には、第２の袖部３２から他端側に突出した状態の注ぎ口８（折り込み部３６、折り返し部３７、および折り返し部３８）を押し込んで棟２１の他端を閉じる。第２の注ぎ口８は、同様の動作により開閉可能である。
【００２６】
以上のように、本実施形態のゲーブルトップ型紙容器１００によると、サイズの異なる２つの注ぎ口７、８を有するため、設計の自由度を高めることができ、利便性を向上させることができる。
【００２７】
注ぎ口７、８のサイズは、液体の注ぎ易さに関係する。サイズが小さいものほど液体を細く注ぐことができ、例えば洗剤を他の容器に移し替える際に便利である。また、サイズが大きいものほど液体を一度に注ぐ量を多くでき、短時間に多量の液体を注ぐことができる。このため、例えば、液体を他の容器に移し替える使用方法の場合には、比較的サイズの小さい上底１２側の注ぎ口８を使用することができ、多量の液体を容器１００から排出させる使用方法の場合には、比較的サイズの大きい下底１１側の注ぎ口７を使用することができる。
【００２８】
より具体的には、注ぎ口７のサイズは、底部１の台形の下底１１の長さに比例し、注ぎ口８のサイズは、底部１の上底１２の長さに比例する。このため、容器１００を掴む際の胴部１１０の幅は、これら注ぎ口７、８のサイズに応じて変わる。言い換えると、注ぎ口７、８のサイズは、容器１００の掴み易さにも関係する。
【００２９】
比較的大きな注ぎ口７を介して液体を注ぐ場合、胴部１１０の比較的幅狭の部位（他方の注ぎ口８側の胴部）を掴む。一方、比較的小さな注ぎ口８を介して液体を注ぐ場合、胴部１１０の比較的幅広の部位（他方の注ぎ口７側の胴部）を掴む。利用者の手の大きさによって掴み易さは異なる。
【００３０】
つまり、本実施形態によると、一方の注ぎ口７（８）のサイズに影響されずに他方の注ぎ口８（７）のサイズを所望するサイズに設計できるため、容器１００の掴み易さを維持しつつ注ぎ易さを満足させることができ、設計の自由度も高めることができる。
【００３１】
また、本実施形態によると、容器１００の高さを変えずに容積を変える場合、底部１の台形の下底１１或いは上底１２の少なくとも一方の長さを変えることで対応可能である。このため、液体の注ぎ易さや容器１００の持ち易さを十分に考慮して容器１００の容積を変えることができる。
【００３２】
また、本実施形態によると、容器１００を並べて陳列する際に、胴部１１０の幅が広い側の第１の側部２を手前にするか、または胴部１１０の幅が狭い側の第２の側部３を手前にするかを使い分けることができる。例えば、容器１００の内容物が飲料である場合、容器１００を大きく見せた方が良いので、胴部１１０の幅が広い第１の側部２を手前に配置した方がよい。また、例えば、容器１００の内容物が濃縮洗剤である場合、胴部１１０の幅が狭い第２の側部１２を手前に配置した方がよい。
【００３３】
また、本実施形態によると、底部１の台形の斜辺１３、１４の長さを、下底１１より長くしたため、容器１００を机などに置いた場合の安定性を良くすることができる。つまり、本実施形態によると、第１の側部２の外面を押した場合、または第２の側部３の外面を押した場合、容器１００を長手方向に押すことになり、容器１００がこの方向に転倒する心配はない。
【００３４】
一方、第３、第４の側部４、５を押した場合、底部１の台形の下底１１の両端にある角部が押圧方向前方で容器１００の転倒を防止するよう支える。つまり、側部４、５は互いに非平行であるため、例えば側部４の外面に対して垂直に作用する力の成分は、側部５に対して垂直に作用せずに斜めに作用する。このとき、側部４と垂直な力の成分は、反対側の側部５の一端側に片寄った方向に向き、下底１１の側部５側の角部が転倒を防止するように機能する。
【００３５】
さらに、本実施形態の容器１００は、２つの注ぎ口７、８のサイズが異なるため、容器１００の胴部１１０の幅が異なり、棟２１が軒２２、２３と非平行に傾斜している。このように、本実施形態の容器１００は、外観が特徴的であるため、底部が正方形の一般的なゲーブルトップ型の紙容器と比較して、識別が容易である。このため、例えば、本実施形態の容器１００を飲料以外の洗剤などの液体を収容する容器として使用した場合、内容物の誤飲を防止する効果を期待できる。
【００３６】
上述した実施形態は、例として示したものであり、発明の範囲を限定することは意図していない。例えば、棟２１を底部１と平行に形成し、軒２２、２３を第１の側部２側の一端から第２の側部３側の他端に向けて軒２１に近付く方向に傾斜していても良い。この場合、第１の側部２及び第２の側部３は長方形で、第３の側部及び第４の側部は台形になる。当該実施形態は、その他、様々な形態で実施されることができ、発明の要旨を逸脱しない範囲で、種々の省略、置き換え、変更を行うことができる。また、当該実施形態は、発明の範囲や要旨に含まれ、特許請求の範囲に記載された発明とその均等の範囲に含まれる。
以下に、本願出願の当初の特許請求の範囲に記載された発明を付記する。
［１］  台形シート状の底部と、
この底部の各辺から一体且つ垂直に設けたシート状の第１乃至第４の側部と、
これら４つの側部の上記底部から離間した上辺と一体に連続して設けた切妻屋根と、
上記底部の台形の下底につながる上記第１の側部の上記上辺に連続して設けた上記切妻屋根の一端側の第１の袖部と、
上記底部の台形の上記下底より短い上底につながる上記第２の側部の上記上辺に連続して設けた上記切妻屋根の他端側の第２の袖部と、
上記第１の袖部と上記第２の袖部との少なくとも一方に設けた開閉可能な注ぎ口と、
を有するゲーブルトップ型紙容器。
［２］  上記開閉可能な注ぎ口が、上記第１の袖部と上記第２の袖部との両方に設けられている、［１］のゲーブルトップ型紙容器。
［３］  上記第２の袖部の第２のけらばは、上記第１の袖部の第１のけらばより短く、上記切妻屋根の棟または軒の少なくとも一方は、上記一端から他端に向けて上記棟と上記軒とが互いに近付く方向に傾斜している、［１］のゲーブルトップ型紙容器。
［４］  上記棟は、上記第１の袖部の第１のけらばと上記第２の袖部の第２のけらばの長さを足した長さより長い、［２］のゲーブルトップ型紙容器。
［５］  上記底部の台形の２つの斜辺がいずれも上記下底より長い、［１］のゲーブルトップ型紙容器。
【符号の説明】
【００３７】
１…底部、２…第１の側部、３…第２の側部、４…第３の側部、５…第４の側部、２ａ、３ａ、４ａ、５ａ…上辺、６…切妻屋根、７…第１の注ぎ口、８…第２の注ぎ口、１１…下底、１２…上底、１３、１４…斜辺、２１…棟、２２、２３…軒、２４…第１の屋根部、２４ａ…けらば、２５…第２の屋根部、２５ａ…けらば、３１…第１の袖部、３２…第２の袖部、１００…ゲーブルトップ型紙容器、１０１…シート、１１０…胴部。
【図１】
0006475944.tif 000002
【図２】
0006475944.tif 000003
【図３】
0006475944.tif 000004
【図４】
0006475944.tif 000005
【図５】
0006475944.tif 000006
【図６】
0006475944.tif 000007
【図７】
0006475944.tif 000008